(57)【要約】【課題】高級マンション等に好適なグレードアップされて豪華さに富むものとしながらも、極力コストアップ少なく、しかも迅速に対応できる袖パネル付玄関ドアを実現させる。【解決手段】ドア枠３と、第１縦軸心Ｐ１で枢支されるドア１と、第２縦軸心Ｐ２で枢支される袖パネル２とを有する袖パネル付玄関ドアにおいて、ドア枠３は、ドア１と袖パネル２との間に配置される中間縦枠と、ドア側縦枠３Ｒと、袖パネル側縦枠３Ｌとを有し、ドア１は、ドア本体部と、中間縦枠の前側に位置する側端部１０ｔを有してドア本体部の前に積層される装飾パネルＳＰとを有して構成され、袖パネル２は、袖パネル側縦枠３Ｌから中間縦枠３Ｃの前側部位に亘る装飾用前壁部３９を有し、装飾用前壁部３９の前面３９Ｓは装飾パネルＳＰの前面１０Ｓと面一に構成される。【選択図】図１
2008025213.tif 000002
【特許請求の範囲】
【請求項１】
建物の躯体に支持されるドア枠と、第１縦軸心回りに揺動開閉自在に前記ドア枠に枢支されるドアと、前記ドアの一側端に隣り合わせて配置され、かつ、第２縦軸心回りに揺動開閉自在な状態で前記ドア枠に枢支される袖パネルとを有して成る袖パネル付玄関ドアであって、
前記ドア枠は、前記ドアと前記袖パネルとの間に配置される中間縦枠と、前記ドアにおける袖パネル存在側と反対側の端部に配置されるドア側縦枠と、前記袖パネルにおけるドア存在側と反対側の端部に配置される袖パネル側縦枠と、を有して構成され、
前記ドアは、前記ドア側縦枠と前記中間縦枠との間に配置されるドア本体部と、前記中間縦枠の前側に位置する側端部を有する状態で前記ドア本体部の前側に配置される装飾パネルと、を有して構成され、
前記袖パネルは、前記袖パネル側縦枠の内横部位から前記中間縦枠の前側部位に亘る装飾用前壁部を有するとともに、前記装飾用前壁部の前面は前記装飾パネルの前面と前後方向の位置が同一又はほぼ同一となるように構成されている袖パネル付玄関ドア。
【請求項２】
前記ドア本体部における枢支側の端部は、前記第１縦軸心を中心とする半円弧状の横断面形状を呈する状態に形成されるとともに、前記装飾パネルの前記第１縦軸心側の端部の位置が前後方向視において前記第１縦軸心に合致又はほぼ合致する状態に構成されている請求項１に記載の袖パネル付玄関ドア。
【請求項３】
前記袖パネルは、前記装飾用前壁部を形成する前側部材に、前記袖パネル側縦枠と前記中間縦枠との間に配置される後側部材を一体的に取付けることで構成されとともに、前記前側部材に前記第２縦軸心が設けられている請求項１又は２に記載の袖パネル付玄関ドア。
【請求項４】
前記前側部材
は、後方開放の略コ字状で、かつ、前記中間縦枠の前側に張り出す横膨出部を含む横断面形状を呈する板金製の外板で形成され、前記後側部材は、横断面形状がコ字状を呈して前記外板の後部に内接一体化される内板で形成されている請求項３に記載の袖パネル付玄関ドア。
【請求項５】
前記装飾パネルは、上下に並べて配置される複数のパネル部材で構成されるとともに、前記装飾用前壁部の前面には、上下で隣り合う前記パネル部材どうしの境目ラインに対応して続く状態の袖ラインが凹み形成されている請求項１〜４の何れか一項に記載の袖パネル付玄関ドア。
【請求項６】
前記袖ラインは、前記複数のパネル部材に対応して上下に並べて配置される互いに独立した複数の袖パネル部材で構成され、前記袖パネルに装備される複数の機能設備が前記複数の袖パネル部材に分散配置されている請求項５に記載の袖パネル付玄関ドア。
【発明の詳細な説明】
【技術分野】
【０００１】
本発明は、マンション、ビル、戸建住宅等の建物に好適に用いられる袖パネル付玄関ドアに関するものである。
【背景技術】
【０００２】
袖パネルは、インターホン等の電気設備や新聞受けといった機能設備が装備されたものであって玄関ドアに隣接して設けられるのが一般的である。このような袖パネル付玄関ドアとしては、特許文献１において開示されたもののように、袖パネルの上下長さやその配置高さを玄関ドアに合せることにより、建物の外部から見た場合には、玄関ドアと袖パネルとが一体的な構造物に見えるように構成されたものが知られている。
【０００３】
近年では、マンションやビル等においては、販売価格が比較的廉価な物件も良いが、より豪華さを求めた高価な物件も富裕層を中心として意外に売れるという二極化が見られる用になってきている。そのため、標準的な仕様に加えて、より高級感のある豪華な、或いはゴージャスな外観を有するマンション等が手掛けられている。そこで、建物の顔とも言うべき入口部分である袖パネル付玄関ドアにもより高級感を持たせる等のグレードアップ化が強く求められており、何らかの対策を講じることが必要になって来ている。
【０００４】
高級感を出す手段として、まず、ドアや袖パネルをサイズアップすること（大型化）が考えられるが、この手段ではドア、袖パネル、及びドア枠が新作に、即ち全くの作り直しになるから、建築途中からや既存の建物には適用できないばかりでなく、通常の開発期間を要することから例え計画段階であっても直ぐには対応できない点で実用的ではない。次に、高級感に富む塗装を行うとか、表面に梨地を施すといった表面処理を変更するという手段が考えられるが、これらは既に一般的なものとして採り入れ自在な手段であるため、新鮮味に欠けるものになり易い。
【０００５】
このように、袖パネル付玄関ドアを単純にはグレードアップ化し難い面があり、コストアップなく又は少なく、かつ、製品化が迅速なグレードアップ手段を得るには改善の余地が残されているものであった。
【特許文献１】特開２００６−２２５８４号公報
【発明の開示】
【発明が解決しようとする課題】
【０００６】
本発明の目的は、ハイグレードなビルや高級マンションに好適となるようにグレードアップされて豪華さに富むものとしながらも、できるだけコストアップ少なく、しかも迅速に対応できる袖パネル付玄関ドアを実現して提供する点にある。
【課題を解決するための手段】
【０００７】
請求項１に係る発明は、建物の躯体Ｋに支持されるドア枠３と、第１縦軸心Ｐ１回りに揺動開閉自在に前記ドア枠３に枢支されるドア１と、前記ドア１の一側端に隣り合わせて配置され、かつ、第２縦軸心Ｐ２回りに揺動開閉自在な状態で前記ドア枠３に枢支される袖パネル２とを有して成る袖パネル付玄関ドアにおいて、
前記ドア枠３は、前記ドア１と前記袖パネル２との間に配置される中間縦枠３Ｃと、前記ドア１における袖パネル存在側と反対側の端部に配置されるドア側縦枠３Ｒと、前記袖パネル２におけるドア存在側と反対側の端部に配置される袖パネル側縦枠３Ｌと、を有して構成され、
前記ドア１は、前記ドア側縦枠３Ｒと前記中間縦枠３Ｃとの間に配置されるドア本体部１Ｈと、前記中間縦枠３Ｃの前側に位置する側端部１０ｔを有する状態で前記ドア本体部１Ｈの前側に配置される装飾パネルＳＰと、を有して構成され、
前記袖パネル２は、前記袖パネル側縦枠３Ｌの内横部位から前記中間縦枠３Ｃの前側部位に亘る装飾用前壁部３９を有するとともに、前記装飾用前壁部３９の前面３９Ｓは前記装飾パネルＳＰの前面１０Ｓと前後方向の位置が同一又はほぼ同一となるように構成されていることを特徴とするものである。
【０００８】
請求項２に係る発明は、請求項１に記載の袖パネル付玄関ドアにおいて、前記ドア本体部１Ｈにおける枢支側の端部は、前記第１縦軸心Ｐ１を中心とする半円弧状の横断面形状を呈する状態に形成されるとともに、前記装飾パネルＳＰの前記第１縦軸心Ｐ１側の端部の位置が前後方向視において前記第１縦軸心に合致又はほぼ合致する状態に構成されていることを特徴とするものである。
【０００９】
請求項３に係る発明は、請求項１又は２に記載の袖パネル付玄関ドアにおいて、前記袖パネル２は、前記装飾用前壁部３９を形成する前側部材３９に、前記袖パネル側縦枠３Ｌと前記中間縦枠３Ｃとの間に配置される後側部材４０を一体的に取付けることで構成されとともに、前記前側部材３９に前記第２縦軸心Ｐ２が設けられていることを特徴とするものである。
【００１０】
請求項４に係る発明は、請求項３に記載の袖パネル付玄関ドアにおいて、前記前側部材３９は、後方開放の略コ字状で、かつ、前記中間縦枠３Ｃの前側に張り出す横膨出部３９ｔを含む横断面形状を呈する板金製の外板で形成され、前記後側部材４０は、横断面形状がコ字状を呈して前記外板３９の後部に内接一体化される内板で形成されていることを特徴とするものである。
【００１１】
請求項５に係る発明は、請求項１〜４の何れか一項に記載の袖パネル付玄関ドアにおいて、前記装飾パネルＳＰは、上下に並べて配置される複数のパネル部材１０で構成されるとともに、前記装飾用前壁部３９の前面３９Ｓには、上下で隣り合う前記パネル部材１０，１０どうしの境目ライン１０ｍに対応して続く状態の袖ライン３９ｍが凹み形成されていることを特徴とするものである。
【００１２】
請求項６に係る発明は、請求項５に記載の袖パネル付玄関ドアにおいて、前記袖ライン３９ｍは、前記複数のパネル部材１０に対応して上下に並べて配置される互いに独立した複数の袖パネル部材３９で構成され、前記袖パネル２に装備される複数の機能設備Ｅが前記複数の袖パネル部材３９に分散配置されていることを特徴とするものである。
【発明の効果】
【００１３】
請求項１の発明によれば、化粧パネル等の高級又は豪華な別部材をドア前面に付加することにより、外部からの見た目を効果的に改善する手段である。つまり、従来のドアの表面側（室外側）に見栄えのする装飾パネルを追加して新たなドアとするものであり、少なくともドアに関しては従来のドアをそのまま共通化して用いることが可能になるとともに、ドアとしての厚みが増す分、強度や剛性も向上する付随効果もある。そして、ドア前面と袖パネル前面との前後方向位置を合致させてあるので、物理的な要素からもドアと袖パネルとの見た目の一体化を図ることが可能になる。また、装飾パネルには、中間縦枠の前側に位置する側端部が形成されているので、袖パネルとの横方向の隙間寸法の設定自由度が高いとともに、ドア本体部から横に突出する側端部でありながら強度や剛性を確保し易い構造が実現されている。
【００１４】
つまり、ドアと袖パネルとが一つの物体（ドア）に見えるようになる等、ドアと袖パネルとでもって一つの意匠に見える外観を呈するものとすることが可能になる等、見た目の改善や豪華さを増すといったことを、従来のドアをそのまま部品として用いることができる生産性に優れる状態で実現することができるようになる。従って、計画段階は勿論、建築中や既存の建物に適用させることが可能である。その結果、ハイグレードなビルや高級マンションに好適となるようにグレードアップされて豪華さに富むものとしながらも、できるだけコストアップ少なく、しかも迅速に対応できる袖パネル付玄関ドアを実現して提供することができる。
【００１５】
請求項２の発明によれば、ドアの枢支側端の断面形状を半円弧状とし、かつ、付加される装飾パネルの枢支側端の位置を前後方向視で第１縦軸心に合致又はほぼ合致させることにより、ドアを開いた場合に指詰め等の不都合が起きないように、ドアとドア枠との間隙変化が生じないようにする機能を、ドアの閉じ状態から９０度開いた一般的な全開状態に亘って維持させることができるようになる。また、ドア本体部に横断面が半円形状の別部材を設ける手段を採る場合には、ドア本体と別部材との境目ラインと、装飾パネルの枢支側端のラインとが合わさってすっきりとした一つの縦ラインに見えるようにすることができる利点もある。
【００１６】
請求項３の発明によれば、袖パネルを、装飾用前壁部を形成する前側部材と、袖パネル側縦枠と中間縦枠との間に配置される後側部材との一体化により、構造簡単でありながら十分な強度や剛性が得られる。また、前側部材に第２縦軸心を設けることにより、ドア枠に近接配置しながら十分な開き角度を得ることができるようになる。この場合、請求項４のように、前側部材も後側部材も後方開放の略コ字状の断面形状を呈する部材として、側壁部どうしの重なりによって組付け易いものとしながらも、後側部材によって形成される前方に凹入した後方開放状の空間部を、マグネットキャッチ等の構成部品や配線等の機能部品類の後装着が簡単に行える便利さを得ることができる。
【００１７】
請求項５の発明によれば、ドアの装飾パネルを、上下複数のパネル部材でもって合理的に構成しながら、それら隣合うパネル部材どうしによる境目ラインが、袖パネルに凹み形成された袖ラインに続く状態に構成されているので、ドアと袖パネルとの見た目の一体感もすこぶる良好となる袖パネル付玄関ドアが提供可能になる。この場合、請求項６のように、パネル部材に対応した複数個の袖パネル部材を用いて袖パネルを構成すれば、ドアの境目ラインと袖パネルと境目ラインとの外観も同じにすることができ、ドアと袖パネルとの一体感がより強化される袖パネル付玄関ドアとすることができる。
【発明を実施するための最良の形態】
【００１８】
以下に、本発明による袖パネル付玄関ドアの実施の形態を、図面を参照しながら説明する。図１は室外側から見た正面図、図２は室内側から見た正面図、図３はドア部分の縦断面図、図４は袖パネル部分の縦断面図、図５は横断面図、図６は別構造の袖パネル付玄関ドアを室外側から見た概略の正面図である。
【００１９】
〔実施例１〕
図１，図２はマンション用の袖パネル付玄関ドアＡを示している。この袖パネル付玄関ドアＡは、建物の躯体側Ｋに支持されるドア枠３と、外部から見て右側の端部に設定される上下向きの支点である第１縦軸心Ｐ１回りに揺動開閉自在にドア枠３に枢支されるドア１と、ドア１の左側端（一側端の一例）に隣り合わせて配置され、かつ、外部から見て左側の端部に設定される上下向きの第２縦軸心Ｐ２回りに揺動開閉自在な状態でドア枠３に枢支される袖パネル２とを有して構成されている。
【００２０】
ドア１は頻繁に開閉されるものであるが、袖パネル２は各種の機能設備Ｅを有する機能部品であって滅多には開閉されない。即ち、袖パネル２の揺動開閉は、各種機能設備Ｅの点検や整備のために行えるようにしてあるものであり、通常は閉じた姿勢に係止されている。また、袖パネル２裏側には壁等の建物の構造物が近接して存在しており、室外側からは外枠３の全体が見える（図１参照）が、中間縦枠３Ｃの途中から壁等の壁建物内に侵入配置されており、室内側からはドア枠３の中間縦枠３Ｃの途中から袖パネル側部分は見えない（図２の仮想線部分等を参照）ものとなっている。
【００２１】
玄関壁Ｗに埋め込まれ配置されるドア枠３は、図１〜図５に示すように、左縦枠（袖パネル側縦枠の一例）３Ｌ、右縦枠（ドア側縦枠の一例）３Ｒ、上横枠３Ａ、下横枠３Ｂ、及び中間縦枠３Ｃとを有して成り、正面視（室外から見る場合）では全ての枠３Ａ，３Ｂ，３Ｃ，３Ｌ，３Ｒが見えるが、背面視（室内から見る場合）では左縦枠３Ｌ以外の部分が見える状態となっている。これらの枠３Ｌ，３Ｒ，３Ａ，３Ｂ，３Ｃは、ステンレス鋼板、圧延鋼板等のスチール材を用いて形成されている（戸建住宅等ではアルミ合金材が使用されることもある）。
【００２２】
左縦枠３Ｌは、断面Ｌ字形のブラケット５と、ブラケット５の両端に亘って連結されるチャンネル型部材６とから形成されている。チャンネル型部材６の外側には、袖パネル２の左端部が位置する隅角部６ａが形成されている。この左縦枠３Ｌは玄関壁Ｗに埋め込み配置される箇所であり、室内側からは見えない。この左縦枠３Ｌの右側（ドア側）には、中間縦枠３Ｃ、及び上下の横枠３Ａ，３Ｂとで囲まれて前後に貫通するする枠孔部３Ｓが形成されている。枠孔部３Ｓは電気配線（図示省略）の通路等に利用自在である。
【００２３】
右縦枠３Ｒは、断面Ｌ字形のブラケット４と、ブラケット４の前端に連結されるチャンネル型部材７と、これら両者４，７の後端部どうしに亘って連結される断面Ｌ字形状の後内部材８と、後内部材８に固定されて躯体側Ｋに対する断面Ｌ字状の取付用部材２９とから形成されている。チャンネル型部材７は断面が階段状を為し、ドア１との間隙を密封するためのの上下に長いシール部材９を装備するために、後内部材８前端の折り返し部８ａとの間に形成されるシール用凹み部７ａ、及びドア１を開いたときにおいて装飾パネルＳＰ（後述）との干渉を避けるための逃げ凹み部７ｂが形成されている。
【００２４】
シール部材９は、中空各断面形状を有するシール基部９Ａと、ドア１に押圧接触する複数（２枚）のシールリップ９Ｂ，９Ｂとを有するゴム製のものに形成されている。シール用凹み７ａは、チャンネル型部材７における横向き壁と、これに直交する前後向き壁と、後内部材８の折り返し部８ａとの三壁で囲まれた上下に長い凹入溝として形成されており、シール基部９Ａを圧入的な嵌め入れ装着が自在に構成されている。逃げ凹み部７ｂは、シール用凹み７ａの前方側においてチャンネル型部材７に形成される横向き壁と前後向き壁とが直交する部位、即ち、二辺で挟まれる隅角部として形成されている。
【００２５】
上横枠３Ａは、断面Ｌ字形のブラケット１１と、段差状の断面形状を呈する主型部材１２と、これら両者１１，１２の後端部どうしに亘って連結される断面略Ｌ字形のカバー部材１３と、取付け用部材１９とから形成されている。第１縦軸心Ｐ１部位における軸受け筒１４を支持するための軸補強板１５と、上横枠３Ａにおけるドアクローザー用の補強板１６とが装備されている。主型部材１２の前下向きの隅角部とカバー部材１３の折り返し部１３ａとで囲まれる左右に長い凹入溝１７には、閉じ姿勢におけるドア１とドア枠３とを密封するための横シール部材１８が装備されている。この横シール部材１８は、リップ部を有する状態で凹入溝１７に圧入されるシール基部１８ａと、断面略筒状のシール部１８ｂとを有して形成されている。ただし、袖パネル２部位における上横枠３Ａは、図４に示すように、主型部材１２とブラケット１１とによる高強度な部材に形成されている。
【００２６】
下横枠３Ｂは、断面Ｌ字形の支持部材２０と、段差状の断面形状を呈するステンレス鋼板製の下側カバー２１と、断面略Ｌ字形状でステンレス鋼板製の上側カバー２２と、を有する高強度な部材に形成されている。下側カバー２１の下側には、第１縦軸心Ｐ１における受け軸部２３を支持するための補強部材２４が一体化されている。下側カバー２１の前上向きの隅角部と上側カバー２２の折返し部２２ａとで囲まれる横に長い凹入溝２５には、ドア１の下端部に当接して密封するために、上横枠３Ａに装備されるものと同一の横シール部材１８が圧入装備される。ただし、袖パネル２部位における下横枠３Ｂは、図４に示すように、下側カバー２１と支持部材２０とによる高強度な部材に形成されている。
【００２７】
中間縦枠３Ｃは、左後側のブラケット２６と、右後側部材２７と、前側部材２８と、取付け用部材２９から成る中空断面の高強度部材として構成されている。この中間縦枠３Ｃは、右縦枠３Ｒとの間のドア１用の空間部Ｔ１と、左縦枠３Ｌとの間の袖パネル２用の空間部Ｔ２とを仕切るおのであるとともに、閉じ姿勢におけるドア１や袖パネル２の受け部材として機能する。前側部材２８の前右向きの隅角部と右後側部材２７の前端折返し部２７ａとで形成される上下に長い凹入溝３０には、ドア１の揺動先端側端部と中間縦枠３Ｃとの間を密封するためのシール部材３１が嵌装されている。このシール部材３１は横シール部材１８と同一のものである。
【００２８】
ドア１は、図１〜図３，図５に示すように、内部にグラスウール等の断熱材や吸音材が充填された中空で矩形を呈するドア本体部１Ｈ、これの外側面に一体化される複数（５枚）の装飾パネルＳＰ及び開閉機能部ａ等を有して構成されている。ドア本体部１Ｈの左側端には、中間縦枠３Ｃにおける幅狭で前方突出する枠前端部３ｃの前側に回り込む庇状の折返し部１ｋが形成されている。折返し部１ｋは、鋼板等の板材の折返しによる二重板部分として形成されている。ドア本体部１Ｈの右側壁には、断面が半円弧を呈する中空のパイプ部材３２が一体的に取り付けられており、それによってドア本体Ｈにおける枢支側の端部は、第１縦軸心Ｐ１を中心とする半円弧状の横断面形状を呈する状態に形成されている。ドア本体部１Ｈの右端部の下端部及び上端部には、主ドア１を揺動開閉自在にドア枠３に枢支するための凹凸嵌合構造による下及び上枢支構造部３３，３４が構成されている。
【００２９】
上枢支構造部３４は、図３に示すように、ドア本体部１Ｈの内部において頑強に支持されている軸部材３５と、この軸部材３５を内嵌自在な状態で上横枠３Ａに支持される軸受け筒１４とから構成されている。下枢支構造部３３は公知の構造に付き、詳細な説明は割愛する。
【００３０】
装飾パネルＳＰは、前面１０Ｓ、上下左右の各側壁１０Ａ，１０Ｂ，１０Ｃ，１０Ｄ、及び各折返し壁１０ａ，１０ｂ，１０ｃ，１０ｄを有し、表面に木目模様等の意匠が施された板金製で所定の厚み寸法を有する箱形状のパネル部材１０の５枚で形成されている。要するに、互いに上下寸法の等しい５枚のパネル部材１０が隙間無く並べられてドア本体部１Ｈの前側面に一体的に装備することで装飾パネルＳＰとして構成されている。このように、ドア１は、ドア１の閉じ状態において右縦枠３Ｒと中間縦枠３Ｃとの間に配置されるドア本体部１Ｈと、中間縦枠３Ｃの前に位置する側端部１０ｔを有する状態でドア本体部１Ｈの前側に配置されるパネル部材１０の５枚とを有して構成されている。側端部１０ｔは、ドア本体部１Ｈの折返し部１ｋの前側に位置しており、パネル部材１０によって折返し部１ｋが効果的に補強されている。
【００３１】
上から３番目のパネル部材１０は、他の４枚のパネル部材１０に比べて横幅が狭く形成されており、それによって袖パネル側に開閉機能部ａを構成するための支持パネル５２を配置させてある。支持パネル５２の板金構造は、材質が異なる以外は基本的にパネル部材１０と同構造である。また、各パネル部材１０の右側（第１縦軸心Ｐ１側）の端部の位置は、前後方向視において第１縦軸心Ｐ１に、即ち、ドア本体部１Ｈとパイプ部材３２との境目に合致（又はほぼ合致）する状態に構成されている。これにより、三部品（ドア本体部１Ｈ、パイプ部材３２、パネル部材１０）の交わり部分が１本の縦ラインに見えるように仕上げられている。
【００３２】
開閉機能部ａは、支持パネル５２に配される内外のドアノブ３６と、支持パネル５２の上下で隣り合うパネル部材１０，１０部分に配置される上下一対の施錠装置３７，３７、内ロック３８（図２参照）等を有して構成されている。支持パネル５２は、パネル部材１０と同等の表面処理が為されても良いし、或いは、強度を上げるためにステンレス鋼板を用いて外観上もパネル部材１０と異なるように仕上げても良い。
【００３３】
次に、袖パネル２について説明する。袖パネル３は、図１，図４，図５に示すように、上下５枚の外側パネル材（袖パネル部材の一例）３９と、単一の内側支持材４０とを連結一体化して形成されており、外側パネル材３９に、第２縦軸心Ｐ２を有してドア枠３に対する上下の枢支部４１，４２が構成されている。内側支持材４０は、内側（室内側）に曲げ加工されることで上下左右の側壁４０Ａ，４０Ｂ，４０Ｃ，４０Ｄを有する板金材で形成されている。各外側パネル材３９は、上下左右の各側壁３９Ａ，３９Ｂ，３９Ｃ，３９Ｄを有しており、各左右側壁３９Ｃ，３９Ｄは、内側支持材４０の対応する左右の側壁３９Ｃ，３９Ｄに重ねられて一体化されている。
【００３４】
上枢支部４１は、最上段の外側パネル材３９に上下移動自在に支持される上支軸４６と、上支軸４６を上昇付勢する巻ばね４７と、上横枠３Ａに取付けられる受け部材４８とから構成されている。上支軸４６は、上横枠３Ａの孔（図示省略）を通って受け部材４８の下向き穴４８ａに挿入される作用姿勢と、上横枠３Ａよりも下方に位置する退避姿勢とに切換え自在であり、通常は巻ばね４７によって作用姿勢に上昇付勢維持されている。下枢支部４２は、ワッシャ４９を介して下横枠３Ｂに支持される下支軸５０と、最下段の外側パネル材３９に取付けられる受け部材５１とから成り、下支軸５０の上部が受け部材５１の下向き穴５１ａに嵌合されている。
【００３５】
袖パネル２について詳述すると、袖パネル２は、左縦枠３Ｌの内横部位から中間縦枠３Ｃの部位に亘る装飾用前壁部３９を有するとともに、装飾用前壁部３９の前面３９Ｓは装飾パネルＳＰの前面１０Ｓと面一（前後方向の位置が互いに同じ）となるように設定されている。袖パネル２は、装飾用前壁部３９を形成する外側パネル材（前側部材の一例）３９に、袖パネル２の閉じ姿勢において左縦枠３Ｌと中間縦枠３Ｃとの間に配置される内側支持材（後側部材の一例）４０を一体的に取付けることで構成されとともに、外側パネル材３９に第２縦軸心Ｐ２が設けられている。そして、外側パネル材３９は、後方開放の略コ字状で、かつ、中間縦枠３Ｃの前側に張り出す横膨出部３９ｔを含む略後方開放コ字状の横断面形状を呈する板金製の外板で形成され、後側部材４０は、横断面形状がコ字状を呈して外板３９の後部に内接一体化される内板で形成されている。
【００３６】
上下中間の３枚の外側パネル材３９には、内側支持材４０に重ねて一体化するための折返し部３９ａ，３９ｂが上下側壁３９Ａ，３９Ｂに形成されている。最上段の外側パネル材３９は、下側壁３９Ｂには内側支持材４０に重ねて一体化するための折返し部３９ｂがあるが、上側壁３９Ａには折返し部が無く、直接内側支持材４０の上側壁４０Ａに重ねられて一体化される。最下段の外側パネル材３９は、上側壁３９Ａには内側支持材４０に重ねて一体化するための折返し部３９ａがあるが、下側壁３９Ｂには折返し部が無く、直接内側支持材４０の下側壁４０Ｂに重ねられて一体化される。また、各外側パネル材３９には、内側支持材４０の後向き左右側壁４０Ｌ，４０Ｒに外接して固定するための左右の折り曲げ側壁３９Ｌ，３９Ｒが形成されている。右折り曲げ側壁３９Ｒは、略Ｚ型に屈曲されて前述の横膨出部３９ｔを形成している。尚、図５に示す５４は、袖パネル２を閉じ姿勢に維持すべく中間縦枠３Ｃの横突出部３ｔの前面に磁着自在なマグネットキャッチである。
【００３７】
各外側パネル材３９の上下長さは、ドア１のパネル部材１０の上下長さと同一に設定されており、上下に隣り合う外側パネル材３９，３９との境目である横目地３９ｍと、上下に隣り合うパネル部材１０，１０との境目である横目地１０ｍとは一直線に並ぶ状態に形成されている。この構成により、外観的には、ドア１と袖パネル２とは一続きのデザイン（意匠）が施されて一体的な物体として認識可能なものとなっており、外観向上や豪華さの向上に寄与できるものとなっている。
【００３８】
さて、袖パネル２に装備される各機能設備Ｅは、玄関灯５３、ネーム札４３、インターホン４４、新聞や郵便物等を収容するための外部ポスト４５から構成されている。玄関灯５３は最上段の外側パネル材３９に装備され、ネーム札４３とインターホン４４は上から２番目の外側パネル材３９に装備されている。外部ポスト４５は下から２番目の装備されている。外部ポスト４５は、上下３個のＵ字状部材４５ａと、最下段のＵ字状部材４５ａの内側に配される小Ｕ字状部材４５ｂとから構成されている。
【００３９】
〔別実施例〕
例えば、ドア１の装飾パネルＳＰが、ドア１の大きさに匹敵する大きさの一枚のパネル部材、或いは５枚以外の複数枚を用いて構成され、プレス加工等による折り曲げ加工や凹ませ加工、或いは溝加工により、横目地１０ｍ（縦目地、斜め目地、曲線目地、その他で良い）を形成する手段でも良い。同様に、袖パネル２の外側パネル材３９を凹ましたり、折り曲げたりして横目地３９ｍとする手段でも良い。
【００４０】
例えば、図６に示すように、ドア１と袖パネル２とに跨って形成される角ループ状で内外複数の目地ｍを設ける等して、デザイン的にも一体化される状態となるような外観を呈する袖パネル付玄関ドアＡとしても良い。また、色や形状、凹凸等の工夫により、ドア１と袖パネル２の両者で一つの意匠を示すように構成された袖パネル付玄関ドアＡでも良い。
【図面の簡単な説明】
【００４１】
【図１】袖パネル付玄関ドアの正面図（実施例１）
【図２】図１における内部側正面図（背面図）
【図３】図１における玄関ドア部分の縦断面図
【図４】図１における袖パネル部分の縦断面図
【図５】図１における横断面図
【図６】別実施例による袖パネル付玄関ドアの正面図
【符号の説明】
【００４２】
１          ドア
１Ｈ        ドア本体部
２          袖パネル
３          ドア枠
３Ｃ        中間縦枠
３Ｌ        袖パネル側縦枠
３Ｒ        ドア側縦枠
１０        パネル部材
１０ｍ      境目ライン
１０ｔ      側端部
１０Ｓ      前面
３９        装飾用前壁部、前側部材、袖パネル部材
３９ｍ      袖ライン
３９ｔ      横膨出部
３９Ｓ      前面
４０        後側部材
Ａ          袖パネル付玄関ドア
Ｅ          機能設備
Ｋ          躯体側
Ｐ１        第１縦軸心
Ｐ２        第２縦軸心
ＳＰ        装飾パネル
【図１】
2008025213.tif 000003
【図２】
2008025213.tif 000004
【図３】
2008025213.tif 000005
【図４】
2008025213.tif 000006
【図５】
2008025213.tif 000007
【図６】
2008025213.tif 000008